(57)【要約】【課題】記録した通話内容を効率よく検索すること。【解決手段】本発明に係る通話装置１は、音声通話を実行する音声通話部１０１と、音声通話の実行時刻である通話時刻を含む通話履歴データを保存する通話履歴保存部１０８と、音声通話の音声を録音する音声録音部１０３と、録音された音声をテキストに変換した通話テキストを保存するテキスト保存部１０７と、通話履歴データの通話時刻と、録音時刻とを関連付けることにより、通話履歴データと、該通話履歴データに関連付けられた録音音声に係る通話テキストとを関連付ける通話履歴関連付け部１０９と、を備える。【選択図】図１
2017216672.tif 000002
【特許請求の範囲】
【請求項１】
音声通話を実行する通話手段と、
前記通話手段による音声通話の実行時刻である通話時刻を含む通話履歴データを保存する履歴保存手段と、
前記通話手段により実行された音声通話の音声を録音する録音手段と、
前記録音手段により録音された音声をテキストに変換した通話テキストを保存するテキスト保存手段と、
前記履歴保存手段に保存されている通話履歴データの通話時刻と、前記録音手段による録音時刻とを関連付けることにより、通話履歴データと、該通話履歴データに関連付けられた録音音声に係る通話テキストとを関連付ける関連付け手段と、
を備える通話装置。
【請求項２】
ユーザからの、通話履歴データを示す情報を含んだ表示指示に基づき、該表示指示に含まれた通話履歴データに関連付けられた通話テキストを表示する表示手段を更に備える、請求項１記載の通話装置。
【請求項３】
前記録音手段によって録音された音声を保存する音声保存手段と、
ユーザからの再生指示に基づき、前記音声保存手段に保存された音声を再生する音声再生手段と、を更に備える請求項１又は２記載の通話装置。
【請求項４】
前記関連付け手段は、通話履歴データに関連付けられた通話テキストに対して、通話相手の情報を示す電話帳データを更に関連付ける、請求項１〜３のいずれか一項記載の通話装置。
【請求項５】
前記履歴保存手段は、通話相手の電話番号を含む通話履歴データを保存しており、
前記関連付け手段は、前記履歴保存手段に保存されている通話履歴データに含まれている電話番号を、通話テキストに更に関連付ける、請求項１〜４のいずれか一項記載の通話装置。
【発明の詳細な説明】
【技術分野】
【０００１】
本発明は、通話装置に関する。
【背景技術】
【０００２】
従来より、音声通話中に音声通話の内容をテキストとして記録する技術が提案されている（例えば特許文献１）。特許文献１には、音声通話における音声信号をテキストに変換し記録媒体に出力する技術が開示されている。
【先行技術文献】
【特許文献】
【０００３】
【特許文献１】特開２００３−８７３２号公報
【発明の概要】
【発明が解決しようとする課題】
【０００４】
特許文献１に開示された技術によれば、通話中にユーザがボタンを押すことによって音声信号がテキストに変換されて記録媒体に出力される。このことで、メモの取りづらい環境においても通話内容を記録することができる。しかしながら、特許文献１に開示された技術では、記録した通話内容を効率よく検索することができない。
【０００５】
本発明は上記実情に鑑みてなされたものであり、記録した通話内容を効率よく検索することを目的とする。
【課題を解決するための手段】
【０００６】
本発明の一態様に係る通話装置は、音声通話を実行する通話手段と、通話手段による音声通話の実行時刻である通話時刻を含む通話履歴データを保存する履歴保存手段と、通話手段により実行された音声通話の音声を録音する録音手段と、録音手段により録音された音声をテキストに変換した通話テキストを保存するテキスト保存手段と、履歴保存手段に保存されている通話履歴データの通話時刻と、録音手段による録音時刻とを関連付けることにより、通話履歴データと、該通話履歴データに関連付けられた録音音声に係る通話テキストとを関連付ける関連付け手段と、を備える。
【０００７】
このような通話装置では、通話中に録音された音声がテキストに変換されて保存される。そして、通話履歴データの通話時刻と録音時刻とが関連付けられることにより、通話履歴データと、該通話履歴データに関連付けられた録音音声に係る通話テキストとが関連付けられる。このように、通話履歴データと該通話履歴データに係る通話テキストが関連付けられることにより、通話履歴データに基づく通話テキストの検索が可能となる。これにより、通話内容に関するテキストを、通話履歴に基づき効率よく検索することができる。
【０００８】
上記通話装置は、ユーザからの、通話履歴データを示す情報を含んだ表示指示に基づき、該表示指示に含まれた通話履歴データに関連付けられた通話テキストを表示する表示手段を更に備えていてもよい。これにより、ユーザから指定された通話履歴に関連付けられたテキストを効率よく検索して表示することができる。
【０００９】
上記通話装置は、録音手段によって録音された音声を保存する音声保存手段と、ユーザからの再生指示に基づき、音声保存手段に保存された音声を再生する音声再生手段と、を更に備えていてもよい。これにより、録音音声を再生して、該録音音声に関連付けられた通話テキストが正確なものであるか否かを確認することが可能になる。
【００１０】
上記通話装置において、関連付け手段は、通話履歴データに関連付けられた通話テキストに対して、通話相手の情報を示す電話帳データを更に関連付けてもよい。これにより、通話履歴データに加えて電話帳データからも通話テキストを検索することが可能となり、通話内容に関するテキストをより効率よく検索することができる。
【００１１】
上記通話装置において、履歴保存手段は、通話相手の電話番号を含む通話履歴データを保存しており、関連付け手段は、履歴保存手段に保存されている通話履歴データに含まれている電話番号を、通話テキストに更に関連付けてもよい。これにより、音声通話の内容を保存したテキストが、どの電話番号との通話中に保存されたものかを特定することが可能となる。
【発明の効果】
【００１２】
本発明によれば、記録した通話内容を効率よく検索することができる。
【図面の簡単な説明】
【００１３】
【図１】本発明の第１実施形態に係る通話装置の機能構成を示す図である。
【図２】図１の通話装置のハードウェア構成を示す図である。
【図３】本発明の第１実施形態に係る通話装置において実行される処理の一例を示すフローチャートである。
【図４】テキスト保存部に保存された通話テキストの一例を示すテーブルである。
【図５】通話履歴保存部に保存された通話履歴データの一例を示すテーブルである。
【図６】電話帳保存部に保存された電話帳データの一例を示すテーブルである。
【図７】通話履歴データの関連付けを説明する図である。
【図８】通話履歴データの関連付けを説明する図である。
【図９】本発明の第２実施形態に係る通話装置の機能構成を示す図である。
【図１０】本発明の第２実施形態に係る通話装置において実行される処理の一例を示すフローチャートである。
【図１１】通話履歴画面よりテキストの表示及び録音音声の再生を指示する形態の一例を説明する図である。
【図１２】電話帳画面よりテキストの表示及び録音音声の再生を指示する形態の一例を説明する図である。
【発明を実施するための形態】
【００１４】
以下、添付図面を参照しながら本発明の実施形態を詳細に説明する。図面の説明において、同一又は同等の要素には同一符号を用い、重複する説明を省略する。
【００１５】
［第１実施形態］
図１は、本発明の第１実施形態に係る通話装置の機能構成を示す図である。通話装置１は、音声通話及びデータ通信が可能な通信端末であり、例えばユーザに所持（携帯）されて用いられるスマートフォン等の携帯電話機である。図１に示されるように、通話装置１は、音声通話部１０１（通話手段）と、第１指示入力部１０２と、音声録音部１０３（録音手段）と、音声保存部１０４（音声保存手段）と、録音音声送信部１０５と、テキスト受信部１０６と、テキスト保存部１０７（テキスト保存手段）と、通話履歴保存部１０８（履歴保存手段）と、通話履歴関連付け部１０９（関連付け手段）と、電話帳保存部１１０と、電話帳関連付け部１１１（関連付け手段）と、テキスト表示部１１２（表示手段）と、音声再生部１１３（音声再生手段）と、を備えている。
【００１６】
図２は、図１の通話装置１のハードウェア構成を示す図である。通話装置１は、物理的には、図２に示すように、１又は複数のＣＰＵ１１、主記憶装置であるＲＡＭ１２及びＲＯＭ１３、入力デバイスであるキーボード及びマウス等の入力装置１４、ディスプレイ等の出力装置１５、ネットワークカード等のデータ送受信デバイスである通信モジュール１６、半導体メモリ等の補助記憶装置１７等を含むコンピュータとして構成されている。
【００１７】
通話装置１の各機能は、図２に示すＣＰＵ１１、ＲＡＭ１２等のハードウェア上に１又は複数の所定のコンピュータソフトウェアを読み込ませることにより、ＣＰＵ１１の制御のもとで入力装置１４、出力装置１５、通信モジュール１６を動作させるとともに、ＲＡＭ１２や補助記憶装置１７におけるデータの読み出し及び書き込みを行うことで実現される。
【００１８】
図１に戻り、通話装置１の各機能について説明する。音声通話部１０１は、音声通話を実行する機能である。音声通話部１０１は、通話相手の音声データＢ０を受信することにより通話相手の音声信号Ｖ０を取得する。音声通話部１０１は、取得した音声信号Ｖ０を音声録音部１０３に出力する。また、通話相手の音声信号Ｖ０に代えてユーザの音声信号としてもよく、さらには通話相手の音声信号Ｖ０とユーザの音声信号としてもよい。この場合は、以降の説明において、通話相手の音声信号Ｖ０を、ユーザの音声信号又は通話相手の音声信号Ｖ０及びユーザの音声信号と読み替える。
【００１９】
第１指示入力部１０２は、ユーザから通話相手の音声信号の録音開始又は終了の指示Ｓ１を受ける機能である。第１指示入力部１０２は、例えば、ユーザによって所定のボタンが押された場合に録音開始の指示Ｓ１を受けたと判断し、当該ボタンが再度押された場合に録音終了の指示Ｓ１を受けたと判断する。或いは、第１指示入力部１０２は、例えば、ユーザによって所定のボタンが押された場合に録音開始の指示Ｓ１を受けたと判断し、当該ボタンが押されている間は録音を行うと判断し、当該ボタンが押されなくなったときに録音終了の指示Ｓ１を受けたと判断してもよい。このように、ユーザからの録音開始及び終了の指示がどのように入力されるかは限定されない。第１指示入力部１０２は、ユーザから録音開始又は終了の指示Ｓ１を受けると、音声録音部１０３に録音開始指示又は録音終了指示を出力する。
【００２０】
音声録音部１０３は、音声通話部１０１により実行された音声通話の音声を録音する機能である。音声録音部１０３は、第１指示入力部１０２から入力される録音開始指示に従い、音声通話部１０１から入力される音声信号Ｖ０の録音を開始する。また、音声録音部１０３は、第１指示入力部１０２から入力される録音終了指示に従い、音声通話部１０１から入力される音声信号Ｖ０の録音を終了する。音声録音部１０３は、録音信号Ｖ１を音声保存部１０４及び録音音声送信部１０５に出力する。なお、音声録音部１０３は、録音した音声に係る録音信号Ｖ１の関連データとして、通話相手の電話番号、通話開始時刻、録音時刻、保存音声ファイル名を示す情報を、テキスト保存部１０７に送信する。
【００２１】
なお、音声録音部１０３は、必ずしも、第１指示入力部１０２からの指示に応じて録音を開始又は終了するものでなくてもよい。例えば、音声録音部１０３は、音声通話部１０１が音声通話を開始したタイミングで（詳細には、音声通話部１０１から音声信号Ｖ０が入力されたタイミングで）通話相手の音声信号Ｖ０の録音を開始してもよい。また、音声録音部１０３は、音声通話部１０１が実行する音声通話における音声区間を自動的に録音するものであってもよい。この場合、通話装置１は、音声通話の音声区間を検出する音声区間検出部を含んでいてもよい。また、音声録音部１０３は、音声の中に特定の単語が出現したことをきっかけに自動的に録音を開始してもよい。これらの場合には、通話装置１は第１指示入力部１０２を備えていなくてもよい。
【００２２】
音声保存部１０４は、音声録音部１０３によって録音された音声である録音信号Ｖ１を保存する機能である。音声再生部１１３は、音声通話部１０１が得た通話相手の音声信号Ｖ０を再生する機能である。
【００２３】
録音音声送信部１０５は、音声録音部１０３によって録音された音声である録音信号Ｖ１を外部サーバ（不図示）に送信する機能である。外部サーバは、録音信号Ｖ１を受信し、音声認識技術により録音信号Ｖ１をテキストＴ１に変換する。
【００２４】
テキスト受信部１０６は、録音信号Ｖ１を音声認識技術により変換して得られるテキストＴ１を外部サーバから受信する機能である。なお、本実施形態では、録音信号Ｖ１からテキストＴ１への変換を外部サーバで実施することとしているがこれに限定されず、通話装置１が音声認識技術により録音信号Ｖ１をテキストＴ１へ変換する機能を含んでいてもよい。テキスト受信部１０６は、受信したテキストＴ１をテキスト保存部１０７に出力する。
【００２５】
テキスト保存部１０７は、テキスト受信部１０６により受信されたテキストＴ１を保存することにより、音声録音部１０３により録音された音声（録音信号Ｖ１）をテキスト形式に変換したテキストＴ１（通話テキスト）を保存する機能である。
【００２６】
図４は、テキスト保存部１０７に保存されたテキストＴ１の一例を示すテーブル（テキストテーブル３００）である。図４に示されるように、テキストテーブル３００においては、テキストＩＤと、テキストＴ１と、録音信号Ｖ１の関連データと、通話履歴ＩＤと、電話帳ＩＤとが関連付けられている。テキストＩＤは、テキストを一意に特定する識別子である。テキストＴ１は、録音信号Ｖ１から変換されたテキストである。録音信号Ｖ１の関連データは、テキストＴ１に係る録音信号Ｖ１に関する情報であり、通話相手の電話番号、通話開始時刻、録音時刻、及び保存音声ファイル名を含む情報である。通話履歴ＩＤ及び電話帳ＩＤは、通話履歴関連付け部１０９及び電話帳関連付け部１１１により事後的に付与される識別子である（詳細は後述）。さらには、テキストを解析してテキストに含まれる検索キーワードを取得し、当該検索キーワードをテキストに付与してもよい。検索キーワードとしては、例えば、人名、地名、電話番号、メールアドレス、日時／時刻、等でもよい。なお、上記及び以降の説明において各時刻の表記方法は限定されず、年、月、日、時、分、秒を含んでもよく、また所定の時点から経過した時間としてもよい。
【００２７】
通話履歴保存部１０８は、音声通話部１０１による音声通話の実行時刻である通話時刻及び通話相手の電話番号を含む通話履歴データを保存する機能である。図５は、通話履歴保存部１０８に保存された通話履歴データの一例を示すテーブル（通話履歴テーブル３０１）である。図５に示されるように、通話履歴テーブル３０１においては、通話履歴データと、保存テキスト有無と、テキストＩＤとが関連付けられている。通話履歴データは、通話履歴に関する情報であり、通話履歴ＩＤ、通話開始時刻（通話時刻）、通話相手の電話番号、及び発着信情報を含む情報である。通話履歴ＩＤは、通話履歴データを一意に特定する識別子である。発着信情報は、発信及び着信のいずれに係る通話履歴データであるかを示す情報である。保存テキスト有無及びテキストＩＤは、通話履歴関連付け部１０９により事後的に付与される情報である（詳細は後述）。
【００２８】
通話履歴関連付け部１０９は、通話履歴保存部１０８に保存されている通話履歴データの通話開始時刻（通話時刻）と、テキスト保存部１０７に保存された録音時刻（音声録音部１０３による録音時刻）とを関連付けることにより、通話履歴データと、該通話履歴データに関連付けられた録音音声に係るテキストＴ１とを関連付ける機能である。なお、通話履歴データには、通話相手の電話番号が含まれているため、通話履歴関連付け部１０９は、通話履歴データに含まれている電話番号とテキストＴ１との関連付けをも行う。
【００２９】
通話履歴関連付け部１０９は、テキストテーブル３００において、各テキストと関連付く通話履歴データの通話履歴ＩＤを付与する（図４参照）。また、通話履歴関連付け部１０９は、通話履歴テーブル３０１において、関連付くテキストがある通話履歴データには、保存テキスト「あり」を関連付けると共に、当該テキストのテキストＩＤを付与する（図５参照）。一方、通話履歴関連付け部１０９は、関連付くテキストがない通話履歴データには、保存テキスト「なし」を関連付ける（図５参照）。なお、各テキストと通話履歴データの関連付けにおいて、必ずしもテキストＩＤ、通話履歴ＩＤ、保存テキスト有無を用いなくてもよく、各テキストが通話履歴データのどのデータと関連付けられているかが分かればよい。例えば、通話開始時刻を通話履歴ＩＤの代わりとしてもよい。
【００３０】
図７及び図８を参照して、通話履歴データとテキストとの関連付けについて説明する。図７及び図８は、通話履歴データの関連付けを説明する図である。
【００３１】
図７に示される例では、通話履歴テーブル３０１に保存されているある通話Ｃ１の通話開始時刻がｔ＿Ｃ１、通話Ｃ１の次に開始された通話Ｃ２の通話開始時刻がｔ＿Ｃ２である。この場合において、テキストテーブル３００において保存されているテキストＴ１に係る録音時刻であるｔ＿Ｔ１、及び、テキストＴ２に係る録音時刻であるｔ＿Ｔ２が、ｔ＿Ｃ２よりも前、且つ、ｔ＿Ｃ１よりも後であるとすると、当該テキストＴ１及びテキストＴ２は、通話Ｃ１と関連付けられる。このように、１回の通話に関して複数回録音が行われて対応するテキストが複数存在する場合においても、通話履歴データとテキストとを適切に関連付けることができる。
【００３２】
図８に示される例では、通話履歴テーブル３０１に保存されているある通話Ｃ１の通話開始時刻がｔ＿Ｃ１、通話Ｃ１の次に開始された通話Ｃ２の通話開始時刻がｔ＿Ｃ２である。ここで、通話履歴データとは異なる情報として、通話の発信時刻が記憶されているとする。例えば、通話Ｃ１の発信時刻がｔ＿ＣＡ１、通話Ｃ２の発信時刻がｔ＿ＣＡ２とする。なお、ｔ＿Ｃ１は通話Ｃ１が終了するまで通話履歴データに登録されないのに対し、ｔ＿ＣＡ１は通話Ｃ１が開始された時点で記憶される。同様に、ｔ＿Ｃ２は通話Ｃ２が終了するまで通話履歴データに登録されないのに対し、ｔ＿ＣＡ２は通話Ｃ２が開始された時点で記憶される。この例においては、テキストテーブル３００には、通話開始時刻の代わりに通話発信時刻の列が設けられるとする。例えば、通話Ｃ１の実施中において、テキストテーブル３００において保存されているテキストＴ１に係る録音時刻であるｔ＿Ｔ１、及び、テキストＴ２に係る録音時刻であるｔ＿Ｔ２の直近の通話の発信時刻がｔ＿ＣＡ１であるとすると、テキストＴ１及びテキストＴ２は通話Ｃ１の発信時刻であるｔ＿ＣＡ１に関連付けられ、テキストテーブル３００の通話発信時刻にはｔ＿ＣＡ１が記録される。そして、通話Ｃ１が完了することにより通話Ｃ１の通話開始時刻であるｔ＿Ｃ１が判明し、ｔ＿ＣＡ１に最も近い通話履歴データの通話開始時刻がｔ＿Ｃ１であると特定される。この場合、ｔ＿ＣＡ１から一定時間内の通話開始時刻のうちｔ＿ＣＡ１に最も近い通話開始時刻であるｔ＿Ｃ１が特定されてもよい。これにより、ｔ＿ＣＡ１に関連付けられている全てのテキスト（すなわち、テキストＴ１及びテキストＴ２）は、ｔ＿Ｃ１に対応する通話Ｃ１において受信したと判別され、テキストＴ１及びテキストＴ２と通話Ｃ１とが関連付けられ、テキストテーブル３００の通話履歴ＩＤには通話Ｃ１のＩＤが記録される。なお、上記のとおり、通話履歴ＩＤに代えて、通話Ｃ１の通話開始時刻を記録することで通話Ｃ１と関連付けられていることが分かるようにしてもよい。
【００３３】
ここで、例えば、通話Ｃ２に関するテキストＴ３が存在し、テキストＴ３を通話Ｃ２に関連付ける前に通話Ｃ２の通話開始時刻ｔ＿Ｃ２を含む通話履歴データが削除された場合を考える。この場合、図７に示す方法により通話履歴データとテキストとを関連付けると、テキストＴ３は誤って通話Ｃ１に関連付けられてしまう。この点、図８に示す方法であれば、テキストＴ３はまずｔ＿ＣＡ２と関連付けられるため、テキストＴ３と、ｔ＿ＣＡ１と関連付けられているテキストＴ１及びテキストＴ２とを区別できる。すなわち、図８に示す方法によれば、テキストＴ３が誤って通話Ｃ１と関連付けられることを防止できる。このように、図８に示す方法では、発信時刻とテキストとが関連付けられることにより、通話履歴データに含まれた通話開始時刻とテキストとの関連付けを実施する前に当該通話開始時刻を含む通話履歴データが削除された場合であっても、当該テキストが異なる通話開始時刻に誤って関連付けられることを防止できる。なお、ｔ＿ＣＡ１及びｔ＿ＣＡ２は、それぞれ通話Ｃ１及びＣ２の着信時刻であってもよい。
【００３４】
複数のテキストと通話履歴データとを関連付ける方法を説明したが、同様にして、複数の録音信号と通話履歴データとを関連付けてもよい。
【００３５】
図１に戻り、電話帳保存部１１０は、通話相手の情報を示す電話帳データを保存する機能である。図６は、電話帳保存部１１０に保存された電話帳データの一例を示すテーブル（電話帳テーブル３０２）である。図６に示されるように、電話帳テーブル３０２においては、電話帳データと、保存テキスト有無と、テキストＩＤとが関連付けられている。電話帳データは、通話相手となり得るユーザの情報を示す情報であり、電話帳ＩＤ、氏名、及び電話番号を含む情報である。電話帳ＩＤは、電話帳データを一意に特定する識別子である。保存テキスト有無及びテキストＩＤは、初期状態においては電話帳テーブル３０２に含まれておらず、電話帳関連付け部１１１により事後的に付与される情報である（詳細は後述）。なお、電話帳保存部１１０は、通話装置１の外部、例えばネットワーク上のサーバやクラウドに保持されていてもよい。
【００３６】
電話帳関連付け部１１１は、通話履歴データに関連付けられたテキストＴ１に対して、通話相手の情報を示す電話帳データを更に関連付ける機能である。電話帳関連付け部１１１は、例えばテキストテーブル３００（図４）を参照してテキストＴ１に関連付けられた通話履歴ＩＤを取得し、通話履歴テーブル３０１（図５）を参照して、取得した通話履歴ＩＤに係る電話番号を取得し、電話帳テーブル３０２を参照して、取得した電話番号に係る電話帳ＩＤを取得する。そして、電話帳関連付け部１１１は、テキストテーブル３００において、テキストＴ１に係る通話履歴データに、取得した電話帳ＩＤを付与する（図４参照）。また、電話帳関連付け部１１１は、電話帳テーブル３０２において、関連付くテキストがある電話帳データには、保存テキスト「あり」を関連付けると共に、当該テキストのテキストＩＤを付与する（図６参照）。一方、電話帳関連付け部１１１は、関連付くテキストがない電話帳データには、保存テキスト「なし」を関連付ける（図６参照）。なお、各テキストと電話帳データの関連付けにおいて、必ずしもテキストＩＤ、電話帳ＩＤ、保存テキスト有無を用いなくてもよく、各テキストが電話帳データのどのデータと関連付けられているかが分かればよい。例えば、電話番号を電話帳ＩＤの代わりとしてもよい。
【００３７】
なお、テキストと電話帳データとは必ずしも関連付けられていなくてもよい。すなわち、テキストは、通話履歴データのみの関連付けられるものであってもよい。また、テキストは、通話履歴データ及び電話帳データ以外の通話関連のデータとも関連付けられるものであってもよい。例えば、テキスト保存部１０７は、通話相手を識別する情報や、通話時刻又は録音時刻を識別する情報を、テキストＴ１と関連付けて保存するものであってもよい。通話相手を識別する情報とは、例えば、ＩＰアドレス、登録されたユーザ名、アカウント名等である。また、図４、図５、図６においては、テキストテーブル３００、通話履歴テーブル３０１、及び電話帳テーブル３０２の全てにおいてテキストと通話履歴データ又は電話帳データとの関連付けを記録しているが必ずしもすべてのテーブルに記録する必要はなく、例えばテキストテーブル３００のみに記録してもよい。
【００３８】
テキスト表示部１１２は、テキスト受信部１０６が外部サーバから受信したテキストＴ１を表示する機能である。テキスト表示部１１２は、例えば、通話装置１に具備されたディスプレイにテキストＴ１を表示する。
【００３９】
次に、図３を参照して通話装置１において実行される処理について説明する。図３は、通話装置１において実行される処理の一例を示すフローチャートである。
【００４０】
図３に示されるように、まず、通話装置１において音声通話が開始される（ステップＳ１０１）。具体的には、音声通話部１０１は、音声通話を開始して通話相手の音声信号Ｖ０を得る。当該音声信号Ｖ０は、音声再生部１１３により再生される。
【００４１】
つづいて、通話装置１において通話相手の音声信号Ｖ０の録音を開始するか否かが判断される（ステップＳ１０２）。具体的には、第１指示入力部１０２は、ユーザより通話相手の音声信号Ｖ０の録音を開始する指示が入力されているか否かを判断する。Ｓ１０２において録音開始の指示が入力されていない場合には、後述するＳ１１１が実行される。
【００４２】
一方で、Ｓ１０２において録音開始の指示が入力されている場合には、通話装置１において音声信号Ｖ０が録音される（ステップＳ１０３）。具体的には、音声録音部１０３は通話相手の音声信号Ｖ０を録音する。なお、ユーザからの録音開始の指示に基づいて録音を開始する代わりに音声通話を開始した時点で通話相手の音声信号Ｖ０の録音を開始するとしてもよい。また、通話音声の音声区間が始まったことをきっかけに録音を開始するとしてもよい。また、通話音声の中に特定の単語が出現したことをきっかけに録音を開始するとしてもよい。
【００４３】
つづいて、通話装置１において通話相手の音声信号Ｖ０の録音を終了するか否かが判断される（ステップＳ１０４）。具体的には、第１指示入力部１０２は、ユーザより通話相手の音声信号Ｖ０の録音を終了する指示が入力されているか否かを判断する。Ｓ１０４において録音終了の指示が入力されていない場合には、所定時間後に再度Ｓ１０４の判断が行われる。
【００４４】
一方で、Ｓ１０４において録音終了の指示が入力されている場合には、通話装置１において音声信号Ｖ０の録音が終了され、録音信号Ｖ１が保存される（ステップＳ１０５）。具体的には、音声保存部１０４は、音声録音部１０３において録音された録音信号Ｖ１を保存する。なお、ユーザからの録音終了の指示に基づいて録音を終了する代わりに音声通話を終了した時点で通話相手の音声信号Ｖ０の録音を終了するとしてもよい。また、通話音声の音声区間が終了したことをきっかけに録音を終了するとしてもよい。また、通話音声の中に特定の単語が出現したことをきっかけに録音を終了するとしてもよい。また、録音開始から一定時間が経過した時点で録音を終了するとしてもよい。なお、録音信号Ｖ１は必ずしも保存されなくてもよい。
【００４５】
つづいて、通話装置１において、録音信号Ｖ１が外部サーバに送信される（ステップＳ１０６）。具体的には、録音音声送信部１０５は録音信号Ｖ１を外部サーバに送信する。さらに、通話装置１において、送信した録音信号Ｖ１が音声認識で変換されたテキストが受信される（ステップＳ１０７）。具体的には、テキスト受信部１０６は、外部サーバにて録音信号Ｖ１が音声認識により変換されて得られたテキストＴ１を、外部サーバより受信する。なお、Ｓ１０４において音声信号の録音が終了する前に、録音信号Ｖ１が外部サーバに送信され、変換されたテキストが受信されてもよい。これにより、録音を継続しながら、順次テキストを表示することが可能になる。
【００４６】
つづいて、通話装置1において受信したテキストが表示される（ステップＳ１０８）。具体的には、テキスト表示部１１２は、テキスト受信部１０６で受信されたテキストＴ１を表示する。例えば、通話装置１に具備されたディスプレイにテキストＴ１が表示される。
【００４７】
なお、テキストは編集可能な形態で表示されてもよい。この場合、ユーザは表示されたテキストを編集することができる。例えば、ディスプレイにおけるテキストが表示された部分を長押しすることで編集可能としてもよく、これにより通話中に少ない操作でテキストの編集が可能になる。さらに、編集したテキストをテキスト保存部１０７に保存してもよい。また、テキストを編集する際に、上記音声認識の結果より編集する候補をユーザに提示してもよい。例えば、上記外部サーバより音声認識の結果としてテキストＴ１に加えて別のテキストＴ１’を受信した際には、当該Ｔ１’をテキスト編集の候補として提示してもよい。例えば、音声認識により最も尤もらしいテキストがＴ１であり，次に尤もらしいテキストがＴ１’であってもよい。上記Ｔ１とは別のテキストは複数であってもよい。これにより、例えば、音声認識により誤って変換されたテキストを修正する際に、修正候補として尤もらしいテキストに容易に修正することが可能となる。
【００４８】
なお、テキストは削除可能な形態で表示されてもよい。例えば、テキストＴ１を表示すると共にテキストＴ１を削除するボタンを表示してもよい。さらには、Ｓ１０５にて保存したテキストＴ１に対応する音声信号もあわせて削除してもよい。この場合、下記Ｓ１０９及びＳ１１０は省略できる。これにより、例えば、音声認識により誤って変換されたテキストを削除することで無駄なテキスト及び対応する音声信号が保存されず、記憶したテキストをより検索しやすくなる。
【００４９】
また、表示されたテキストＴ１が音声認識により誤って変換されていた場合には、ユーザが通話相手に言い直しを依頼し、通話相手が言い直した音声に対してＳ１０２からＳ１０７を実施して言い直した音声に対応するテキストＴ１ｒを受信し、テキストＴ１とテキストＴ１ｒを比較してテキストＴ１の修正候補をユーザに提示してもよい。
【００５０】
例えば、テキストＴ１には数字が含まれており、テキストＴ１ｒにはテキストＴ１に含まれているものとは異なる数字が含まれていた場合に、テキストＴ１ｒに含まれていた数字をテキストＴ１に含まれていた数字の修正候補として提示してもよい。なお、上記のとおりＳ１０２により言い直しの音声の録音を開始する際には、他の場合の音声信号の録音開始とは異なる形態でユーザから指示が入力されてもよい。これにより、テキストＴ１が誤っていた場合にユーザは少ない操作で修正することが可能になる。
【００５１】
さらに、通話装置１において、受信したテキストＴ１が保存される（ステップＳ１０９）。具体的には、テキスト保存部１０７は、テキスト受信部１０６で受信されたテキストＴ１を保存する。
【００５２】
なお、図４に示されるテキストテーブル３００においては、通話相手の電話番号の代わりに、通話相手を識別可能な任意の情報、例えば、電話帳保存部１１０に保存されている電話帳データより当該電話番号に登録された名前がテキストＴ１に関連付けられていてもよい。また、録音信号Ｖ１が録音された通話の開始時刻の代わりに、当該通話の終了時刻がテキストＴ１に関連付けられていてもよい。また、保存音声ファイル名の代わりに、録音音声が保存された場所を含む当該ファイルへのパスや、当該ファイルを特定できる情報がテキストＴ１に関連付けられていてもよい。なお、テキストＴ１に付加される録音信号Ｖ１の関連データは上記に限定されない。また、テキストＴ１にはテキストＩＤが付加されていなくてもよく、録音信号Ｖ１の関連データが付加されていなくてもよい。
【００５３】
つづいて、通話装置１において、保存したテキストＴ１が通話履歴データと関連付けられる（ステップＳ１１０）。具体的には、通話履歴関連付け部１０９は、通話履歴保存部１０８に保存されている通話履歴データの通話開始時刻と、テキスト保存部１０７に保存された録音時刻とを関連付けることにより、通話履歴データと、該通話履歴データに関連付けられた録音音声に係るテキストＴ１とを関連付ける。また、電話帳関連付け部１１１は、通話履歴データに関連付けられたテキストＴ１に対して、通話相手の情報を示す電話帳データを更に関連付ける。
【００５４】
つづいて、通話装置１において音声通話を終了するか否かが判断される（ステップＳ１１１）。具体的には、音声通話部１０１は、ユーザより音声通話を終了する指示が入力されているか否かを判断する。当該指示が入力されている場合には動作を終了し、入力されていない場合にはＳ１０２を実行する。これにより、本実施形態の通話装置１は、通話内容をテキストとして記録でき、通話履歴データや電話帳データなどの通話関連のデータから記録したテキストを効率よく検索可能となる。
【００５５】
次に、第１実施形態の通話装置１の作用効果について説明する。
【００５６】
上述した通話装置１では、通話中に録音された音声がテキストに変換されて保存される。そして、通話履歴データの通話時刻と録音時刻とが関連付けられることにより、通話履歴データと、該通話履歴データに関連付けられた録音音声に係るテキストとが関連付けられる。このように、通話履歴データと該通話履歴データに係るテキストが関連付けられることにより、通話履歴データに基づくテキストの検索が可能となる。これにより、通話内容に関するテキストを、通話履歴に基づき効率よく検索することができる。
【００５７】
電話帳関連付け部１１１は、通話履歴データに関連付けられたテキストに対して、通話相手の情報を示す電話帳データを更に関連付ける。これにより、通話履歴データに加えて電話帳データからもテキストを検索することが可能となり、通話内容に関するテキストをより効率よく検索することができる。
【００５８】
通話履歴保存部１０８は、通話相手の電話番号を含む通話履歴データを保存しており、通話履歴関連付け部１０９は、通話履歴保存部１０８に保存されている通話履歴データに含まれている電話番号を、テキストに更に関連付ける。これにより、音声通話の内容を保存したテキストが、どの電話番号との通話中に保存されたものかを特定することが可能となる。
【００５９】
（第１実施形態の変形例）
以上、第１実施形態について説明したが、第１実施形態は上記内容に限定されるものではない。
【００６０】
例えば、通話装置１は、スマートフォン等の携帯電話機であるとして説明したが、スマートフォン等の携帯電話機と、携帯電話機以外の外部の構成（以下、外部構成と記載）とを含んで構成されるものであってもよい。外部構成は、例えば、ネットワーク上のサーバ又はクラウド等により提供されるものであってもよい。
【００６１】
例えば、通話装置１における音声録音部１０３及び録音音声送信部１０５が、上述した外部構成に含まれていてもよい。
【００６２】
この場合、音声録音部１０３は、第１指示入力部１０２から録音開始又は録音終了指示を受信して、録音を開始又は終了する。このとき録音する音声は、音声通話部１０１から出力される通話相手の音声信号Ｖ０であってもよいし、音声録音部１０３が通話相手の音声データＢ０を受信して取得した通話相手の音声信号Ｖ０であってもよい。
【００６３】
音声録音部１０３は、通話相手の音声データＢ０に代えてユーザの音声データを受信してユーザの音声信号を取得してもよい。さらに、音声録音部１０３は、通話相手の音声データＢ０及びユーザの音声データを受信して、通話相手の音声信号Ｖ０及びユーザの音声信号を取得してもよい。
【００６４】
通話相手又は／及びユーザの音声データを受信して音声信号を取得する機能は、音声録音部１０３の外部に含まれていてもよい。その場合、音声録音部１０３は通話相手の音声信号Ｖ０又は／及びユーザの音声信号を受信して録音する。音声録音部１０３によって録音された録音信号Ｖ１は、通話装置１の携帯電話機に送信されて該携帯電話機に含まれる音声保存部１０４に保存されてもよい。
【００６５】
音声録音部１０３は、外部構成に含まれる場合においても、必ずしも、第１指示入力部１０２からの指示に応じて録音を開始又は終了しなくてもよく、音声録音部１０３が携帯電話機に含まれる場合と同様に録音を開始又は終了してよい。
【００６６】
上述した外部構成に含まれる録音音声送信部１０５は、音声録音部１０３によって録音された録音信号Ｖ１を、録音信号Ｖ１を受信してテキストＴ１に変換する外部サーバに送信してもよい。テキストＴ１への変換は音声録音部１０３が含まれるサーバ等において実施されてもよい。テキストＴ１への変換は通話装置１の携帯電話機において実施されてもよい。
【００６７】
例えば、通話装置１における音声保存部１０４が、上述した外部構成に含まれていてもよい。
【００６８】
この場合、音声保存部１０４は、音声録音部１０３から、音声録音部１０３によって録音された録音信号Ｖ１を受信し、該録音信号Ｖ１を保存する。音声保存部１０４は、録音信号Ｖ１をテキストＴ１に変換する外部サーバに含まれていてもよい。この場合、音声録音部１０３から音声保存部１０４への録音信号Ｖ１の送信は不要となり、音声保存部１０４は、録音音声送信部１０５がテキストＴ１への変更のために外部サーバに送信する録音信号Ｖ１を保存すればよい。
【００６９】
例えば、通話装置におけるテキスト受信部１０６及びテキスト保存部１０７が、上述した外部構成に含まれていてもよい。
【００７０】
この場合、テキスト受信部１０６は、録音信号Ｖ１を変換して得られるテキストＴ１を受信し、テキスト保存部１０７へ送信する。テキストＴ１への変換は、テキスト受信部１０６が含まれるサーバ、又は、通話装置１の携帯電話機等において実施されてもよい。
【００７１】
上述した外部構成に含まれるテキスト保存部１０７は、テキスト受信部１０６よりテキストＴ１を受信し、保存する。
【００７２】
例えば、通話装置１における通話履歴保存部１０８及び通話履歴関連付け部１０９が、上述した外部構成に含まれていてもよい。
【００７３】
この場合、通話履歴保存部１０８は、通話装置１の携帯電話機から、音声通話部１０１による音声通話の実行時刻である通話時刻及び通話相手の電話番号等を含む通話履歴データを受信して保存する。通話履歴保存部１０８は、通話装置１の携帯電話機の外部、例えばネットワーク上のサーバ又は音声交換装置等において取得された、通話時刻及び通話相手の電話番号等を含む通話履歴データを、該携帯電話機の外部から受信し、保存してもよい。
【００７４】
上述した外部構成に含まれる通話履歴関連付け部１０９は、通話履歴保存部１０８に保存されている通話履歴データの通話開始時刻と、テキスト保存部１０７に保存された録音時刻とを関連付けることにより、通話履歴データと、該通話履歴データに関連付けられた録音音声に係るテキストＴ１とを関連付ける。
【００７５】
例えば、通話装置１における電話帳関連付け部１１１が、上述した外部構成に含まれていてもよい。
【００７６】
この場合、電話帳関連付け部１１１は、通話履歴データに関連付けられたテキストＴ１に対して、通話相手の情報を示す電話帳データを更に関連付ける。
【００７７】
次に、音声録音部１０３、音声保存部１０４、及び録音音声送信部１０５が、上述した外部構成に含まれる場合について、各構成の機能をより詳細に説明する。以下では、音声録音部１０３、音声保存部１０４、及び録音音声送信部１０５が通話装置１の携帯電話機に含まれる場合と異なる点を主に説明する。
【００７８】
音声通話部１０１は、通話相手の音声データＢ０を受信することにより通話相手の音声信号Ｖ０を取得する。
【００７９】
第１指示入力部１０２は、ユーザから通話相手の音声信号の録音開始又は終了の指示Ｓ１を受け、指示Ｓ１を通話装置１の携帯電話機の外部に含まれる音声録音部１０３に通知する。第１指示入力部１０２は、ユーザから録音開始又は終了の指示Ｓ１を受けると、通話装置１の携帯電話機の外部に含まれる音声録音部１０３に録音開始指示又は録音終了指示を通知する。
【００８０】
音声録音部１０３は、音声通話部１０１により実行された音声通話の音声を録音する機能である。音声録音部１０３は、第１指示入力部１０２から通知される録音開始指示に従い、通話相手の音声信号Ｖ０の録音を開始する。上述したように、通話相手の音声信号Ｖ０に代えてユーザの音声信号でもよく、通話相手の音声信号Ｖ０とユーザの音声信号であってもよい。さらには、上述したように、通話相手の音声信号Ｖ０又は／及びユーザの音声信号の取得方法は問わない。また、音声録音部１０３は、第１指示入力部１０２から通知される録音終了指示に従い、音声信号Ｖ０の録音を終了する。音声録音部１０３は、録音信号Ｖ１を音声保存部１０４及び録音音声送信部１０５に送信する。なお、音声録音部１０３は、録音した音声に係る録音信号Ｖ１の関連データとして、通話相手の電話番号、通話開始時刻、録音時刻、保存音声ファイル名を示す情報を、通話装置１の携帯電話機に含まれるテキスト保存部１０７に送信する。
【００８１】
音声録音部１０３は、必ずしも、第１指示入力部１０２からの指示に応じて録音を開始又は終了するものでなくてもよい。例えば、音声録音部１０３は、ユーザと通話相手との音声通話を開始したタイミングで通話相手の音声信号Ｖ０の録音を開始してもよく、音声録音部１０３がユーザと通話相手との音声通話の開始を判断してもよく、ユーザと通話相手との音声通話の開始を通知されてもよい。
【００８２】
音声録音部１０３は、ユーザと通話相手との音声通話における音声区間を自動的に録音するものであってもよい。この場合、音声録音部１０３は、音声通話の音声区間を検出する音声区間検出部を含んでいてもよい。また、音声録音部１０３は、音声の中に特定の単語が出現したことをきっかけに自動的に録音を開始してもよい。これらの場合には、通話装置１は第１指示入力部１０２を備えていなくてもよい。
【００８３】
音声保存部１０４は、音声録音部１０３によって録音された音声である録音信号Ｖ１を保存する機能である。
【００８４】
録音音声送信部１０５は、音声録音部１０３によって録音された音声である録音信号Ｖ１を外部サーバに送信する機能である。外部サーバは、録音信号Ｖ１を受信し、音声認識技術により録音信号Ｖ１をテキストＴ１に変換する。なお、通話装置１が録音信号Ｖ１をテキストＴ１に変換する機能を含んでいる場合は、録音音声送信部１０５は録音信号Ｖ１を通話装置１の携帯電話機に送信し、通話装置１の携帯電話機において録音信号Ｖ１はテキストＴ１に変換される。
【００８５】
テキスト受信部１０６は、録音信号Ｖ１を音声認識技術により変換して得られるテキストＴ１を外部サーバから受信する機能である。なお、本実施形態では、録音信号Ｖ１からテキストＴ１への変換を外部サーバで実施することとしているがこれに限定されず、通話装置１が音声認識技術により録音信号Ｖ１をテキストＴ１へ変換する機能を含んでいてもよい。テキスト受信部１０６は、受信したテキストＴ１をテキスト保存部１０７に出力する。テキスト保存部１０７に保存されるテキストテーブル３００における録音信号Ｖ１の関連データは、通話装置１の外部に含まれる音声録音部１０３から送信されるものである。
【００８６】
次に、音声録音部１０３、音声保存部１０４、及び録音音声送信部１０５が、上述した外部構成に含まれる場合について、図３を参照して、通話装置１において実行される処理を説明する。以下では、音声録音部１０３、音声保存部１０４、及び録音音声送信部１０５が通話装置１の携帯電話機に含まれる場合と異なる点を主に説明する。
【００８７】
Ｓ１０２において録音開始の指示が入力されている場合には、音声録音部１０３を含む通話装置１の外部のネットワーク上のサーバやクラウド等において音声信号Ｖ０が録音される（ステップＳ１０３）。具体的には、音声録音部１０３は通話相手の音声信号Ｖ０を録音する。なお、ユーザからの録音開始の指示に基づいて録音を開始する代わりに音声通話を開始した時点で通話相手の音声信号Ｖ０の録音を開始するとしてもよい。また、通話音声の音声区間が始まったことをきっかけに録音を開始するとしてもよい。また、通話音声の中に特定の単語が出現したことをきっかけに録音を開始するとしてもよい。
【００８８】
Ｓ１０４において録音終了の指示が入力されている場合には、音声録音部１０３を含む外部構成において音声信号Ｖ０の録音が終了され、録音信号Ｖ１が保存される（ステップＳ１０５）。具体的には、音声保存部１０４は、音声録音部１０３において録音された録音信号Ｖ１を保存する。なお、ユーザからの録音終了の指示に基づいて録音を終了する代わりに音声通話を終了した時点で通話相手の音声信号Ｖ０の録音を終了するとしてもよい。また、通話音声の音声区間が終了したことをきっかけに録音を終了するとしてもよい。また、通話音声の中に特定の単語が出現したことをきっかけに録音を終了するとしてもよい。また、録音開始から一定時間が経過した時点で録音を終了するとしてもよい。なお、録音信号Ｖ１は必ずしも保存されなくてもよい。
【００８９】
つづいて、録音音声送信部１０５を含む外部構成において、録音信号Ｖ１が外部サーバに送信される（ステップＳ１０６）。具体的には、録音音声送信部１０５は録音信号Ｖ１を外部サーバに送信する。
【００９０】
ここでは、音声録音部１０３、音声保存部１０４、および録音音声送信部１０５が外部構成に含まれ、他の要素は通話装置１の携帯電話機に含まれるとして説明したが、テキスト受信部１０６、テキスト保存部１０７、通話履歴保存部１０８、通話履歴関連付け部１０９、電話帳保存部１１０、電話帳関連付け部１１１のそれぞれが上述した外部構成に含まれてもよいことは上述したとおりである。
【００９１】
［第２実施形態］
次に、本発明の第２実施形態に係る通話装置２について説明する。第２実施形態では、第１実施形態と異なる点を主に説明する。
【００９２】
図９は、本発明の第２実施形態に係る通話装置２の機能構成を示す図である。図９に示されるように、通話装置２は、第１実施形態の通話装置１と比較して、第２指示入力部２０１を備え、読み出し部２０２を備え、さらにテキスト表示部１１２に代えてテキスト表示部２０３を含み、音声再生部１１３に代えて音声再生部２０４を含む点において相違する。
【００９３】
第２指示入力部２０１は、ユーザからテキストの表示及び／又は音声信号の再生の指示Ｓ２を受ける機能である。ここでのテキストとは、テキスト保存部１０７に保存されているテキストである。また、音声信号とは、音声保存部１０４に保存されている音声信号（録音信号）である。
【００９４】
読み出し部２０２は、第２指示入力部２０１が受けるユーザからのテキスト表示の指示及び/又は音声再生の指示に従って、表示を指示されたテキストＴ２及び/又は再生を指示された音声信号Ｖ２を、テキスト保存部１０７及び/又は音声保存部１０４より読み出す部分である。なお、当該音声信号Ｖ２は、音声録音部１０３によって録音された信号であり、第１実施形態において録音信号として説明していたものである。
【００９５】
なお、本実施形態では、ユーザより表示を指示されたテキストの読み出しとユーザより再生を指示された音声の読み出しを読み出し部２０２で行っているが、テキストの読み出しと音声の読み出しとを別々の機能により行ってもよい。
【００９６】
テキスト表示部２０３は、テキスト受信部１０６が受信したテキストＴ１を表示する機能であり、さらには、第２指示入力部２０１が受けるユーザからの指示に従って読み出し部２０２が読み出したテキストＴ２を表示する機能である。テキスト表示部２０３は、ユーザからの、通話履歴データを示す情報を含んだ表示指示に基づき、該表示指示に含まれた通話履歴データに関連付けられた通話テキストを表示する（詳細は後述）。
【００９７】
音声再生部２０４は、音声通話部１０１が得た通話相手の音声信号Ｖ０を再生する機能であり、さらには、第２指示入力部２０１が受けるユーザからの指示に従って読み出し部２０２が読み出した音声信号Ｖ２を再生する機能である。
【００９８】
次に、図１０を参照して通話装置２において実行される処理について説明する。図１０は、通話装置２において実行される処理の一例を示すフローチャートである。
【００９９】
はじめに、先に図３を参照して説明したＳ１０１〜Ｓ１１０と同様の処理が実行される。
【０１００】
つづいて、通話装置２において音声通話を終了するか否かが判断される（ステップＳ２０１）。具体的には、音声通話部１０１は、ユーザより音声通話を終了する指示が入力されているか否かを判断する。当該指示が入力されている場合にはステップＳ２０２が実行され、入力されていない場合にはステップＳ１０２が実行される。
【０１０１】
つづいて、通話装置２において保存したテキストを表示するか否かが判断される（ステップＳ２０２）。具体的には、第２指示入力部２０１は、ユーザより、保存されたテキストを表示する指示が入力されているか否かを判断する。テキスト表示の指示が入力されている場合にはステップＳ２０３を、入力されていない場合にはステップＳ２０５を実行する。
【０１０２】
つづいて、通話装置２において保存したテキストが読み出される（ステップＳ２０３）。具体的には、読み出し部２０２は、ユーザより表示するように指示されたテキストをテキスト保存部１０７より読み出す。
【０１０３】
つづいて、通話装置２において読み出したテキストが表示される（ステップＳ２０４）。具体的には、テキスト表示部２０３は読み出し部２０２で読み出されたテキストを表示する。なお、テキストは編集可能な形態で表示されてもよい。この場合、ユーザは表示されたテキストを編集することができる。さらに、編集したテキストをテキスト保存部１０７に保存してもよい。
【０１０４】
ユーザからのテキストの表示の指示は通話履歴データに基づき行われてもよい。図１１（ａ）に示されるように、ユーザからのテキスト表示の指示は通話履歴データを示す画面（通話履歴画面）から行われてもよい。ここでは、通話履歴画面に表示された各通話履歴データに対して、当該通話履歴データに対応する通話中に保存されたテキストの有無が表示されている。また、当該通話履歴データに対応する通話中に保存されたテキストの数を表示してもよく、テキストの有無とテキストの数の両方を表示してもよい。ユーザが表示したい通話履歴データを選択すると、図１１（ｂ）に示されるように当該通話中に保存されたテキストがテキスト保存部１０７より読み出されてテキスト表示部２０３にて表示される。これは、テキストと通話履歴データとが関連付けられており、通話履歴データの通話における保存テキストの有無と当該テキストのテキストＩＤとが特定できることにより実現される。
【０１０５】
また、保存テキストの有無のみを関連付けていた場合は、通話履歴データの通話開始時刻と電話番号を用いて、テキスト保存部１０７に保存されたテキストを検索すれば、当該通話履歴データの通話中に保存されたテキストが特定できる。また、テキストに通話履歴ＩＤが付加されて保存されているので、当該通話履歴データの通話中に保存されたテキストの有無及びテキストの特定ができ、読み出し可能となる。
【０１０６】
ユーザからのテキストの表示の指示は電話帳データに基づき行われてもよい。図１２（ａ）に示されるように、ユーザからのテキスト表示の指示は電話帳データを示す画面（電話帳画面）より行われてもよい。ここでは、電話帳画面に表示された電話帳データ対して、当該電話帳データの電話番号との通話中に保存されたテキストの一覧が、当該テキストに対応する録音信号の録音時刻で表示されている。ユーザが表示したいテキストに対応する録音信号の録音時刻を選択すると、図１２（ｂ）に示されるように当該テキストがテキスト保存部１０７より読み出されてテキスト表示部２０３にて表示される。
【０１０７】
これは、テキストと電話帳データとが関連付けられており、電話帳データの電話番号との通話中における保存テキストの有無と当該テキストのテキストＩＤとが特定できることにより実現される。
【０１０８】
また、当該電話帳データの電話番号を用いて、テキスト保存部１０７に保存されたテキストを検索すれば、当該電話番号との通話中に保存されたテキストが特定でき読み出し可能となる。また、テキストに電話帳ＩＤが付加されて保存されているので、当該電話帳データの電話番号との通話中に保存されたテキストの有無及びテキストの特定が可能となる。
【０１０９】
なお、通話履歴データをもとにしたユーザからのテキスト表示の指示は上記に限定されず、上記電話帳データをもとにしたユーザからのテキストの表示の指示と同様に、通話履歴画面に当該通話履歴データの通話中に保存されたテキストの一覧を表示してテキストを選択する形態でもよい。
【０１１０】
また、電話帳データをもとにしたユーザからのテキストの表示の指示は上記に限定されず、上記通話履歴データをもとにしたユーザからのテキストの表示の指示と同様に、電話帳画面に当該電話帳データの電話番号との通話中に保存されたテキストの有無を表示してテキストを選択する形態でもよい。また、当該電話帳データに対応する通話中に保存されたテキストの数を表示してもよく、テキストの有無とテキストの数の両方を表示してもよい。
【０１１１】
また、通話履歴データや電話帳データをもとにした表示に限定されず、テキスト保存部１０７に保存されたテキストの一覧を表示し、必要に応じて、各テキストに関連付けられた通話相手を識別する情報や通話時刻、録音時刻に基づいて、抽出や並び替えを行い、所望のテキストを選択する形態でもよい。さらには、テキストの一覧を表示する際に、各テキストに関連付けられた通話相手を識別する情報や通話時刻、録音時刻を表示してもよい。また、テキストと通話履歴データや電話帳データの関連付けは、ユーザからのテキストの表示の指示を受けてから実施してもよい。さらには、ユーザからのテキストの表示の指示に基づいて、テキストと通話履歴データや電話帳データの関連付けを行ってもよい。例えば、ユーザがテキストの表示を指示した通話履歴データの通話において録音された音声のテキストを関連付け、当該テキストを表示してもよい。
【０１１２】
つづいて、通話装置２において保存した録音信号を再生するか否かが判断される（ステップＳ２０５）。具体的には、第２指示入力部２０１は、ユーザより保存された録音信号を再生する指示が入力されているか否かを判断する。音声再生の指示が入力されている場合にはステップＳ２０６を、入力されていない場合には動作を終了する。
【０１１３】
つづいて、通話装置２において保存された録音信号が読み出される（ステップＳ２０６）。具体的には、読み出し部２０２は、ユーザより再生するように指示された音声信号Ｖ２を音声保存部１０４より読み出す。
【０１１４】
つづいて、通話装置２において読み出した音声信号Ｖ２が再生される（ステップＳ２０７）。具体的には、音声再生部２０４は、読み出し部２０２で読み出された音声信号Ｖ２を再生する。
【０１１５】
ユーザから音声信号Ｖ２の再生の指示は通話履歴データに基づき行われてもよい。図１１（ｂ）に示されるように、ユーザからの音声再生の指示は通話履歴画面を通じて行われてもよい。ここでは、通話履歴画面より選択されたテキストに対応する音声信号（保存音声ファイル）の再生ボタンが表示されている。
【０１１６】
ユーザが再生したい音声信号の再生ボタンを押すと、当該音声信号が音声保存部１０４より読み出されて、音声再生部２０４にて再生される。これは、例えば、テキストに音声信号のファイル名を付加して保存していれば、当該テキストに対応する音声信号（保存音声ファイル）の特定ができ読み出し可能となる。
【０１１７】
ユーザからの音声信号Ｖ２の再生の指示は電話帳データに基づき行われてもよい。図１２（ｂ）に示されるように、ユーザからの音声再生の指示は電話帳画面を通じて行われてもよい。ここでは、電話帳画面より選択されたテキストに対応する音声信号（保存音声ファイル）の再生ボタンが表示されている。
【０１１８】
ユーザが保存音声ファイルの再生ボタンを押すと、音声信号が音声保存部１０４より読み出されて、音声再生部２０４にて再生される。これは、例えば、テキストに音声信号のファイル名を付加して保存していれば、当該テキストに対応する音声信号のファイル（保存音声ファイル）の特定ができ読み出し可能となる。
【０１１９】
また、通話履歴画面や電話帳画面を通じた再生の指示に限定されず、テキスト保存部１０７に保存されたテキストの一覧を画面表示し、必要に応じて、各テキストに関連付けられた通話相手を識別する情報や通話時刻、録音時刻に基づいて、抽出や並び替えを行い、画面上で所望のテキストを選択する形態でもよい。
【０１２０】
なお、音声信号の再生の指示は上記に限定されず、ユーザからの音声信号の再生指示は当該音声信号に対応するテキストが表示されている状態で受けるものでなくてもよい。
【０１２１】
さらには、Ｓ２０２〜Ｓ２０４の処理の前にＳ２０５〜Ｓ２０７の処理を実行してもよく、その際にはＳ２０５で音声再生指示が入力されていない場合にはＳ２０２を実行し、Ｓ２０２でテキスト表示指示が入力されていない場合には動作を終了してもよい。さらには、Ｓ２０２〜Ｓ２０４の処理とＳ２０５〜Ｓ２０７の処理を並行して実行してもよい。
【０１２２】
このような通話装置２では、通話内容をテキストとして記録でき、記録されたテキストを通話履歴データや電話帳データなどの通話関連のデータをもとに効率よく検索し表示可能となる。また、通話装置２は、記録されたテキストに対応する音声信号を再生することで、音声を聞き直して記録されたテキストが正しいか否かを確認することが可能となる。さらにテキストを編集可能な形態で表示することで、記録されたテキストに誤りがある場合には誤りを修正でき、さらに修正したテキストを保存できる。
【０１２３】
次に、第２実施形態の通話装置２の作用効果について説明する。
【０１２４】
通話装置２は、ユーザからの、通話履歴データを示す情報を含んだ表示指示に基づき、該表示指示に含まれた通話履歴データに関連付けられたテキストを表示するテキスト表示部２０３を備えている。これにより、ユーザから指定された通話履歴に関連付けられたテキストを効率よく検索して表示することができる。
【０１２５】
通話装置２は、音声録音部１０３によって録音された音声を保存する音声保存部１０４と、ユーザからの再生指示に基づき、音声保存部１０４に保存された音声を再生する音声再生部２０４と、を備える。これにより、録音音声を再生して、該録音音声に関連付けられたテキストが正確なものであるか否かを確認することが可能になる。
【０１２６】
（第２実施形態の変形例）
以上、第２実施形態について説明したが、第２実施形態は上記内容に限定されるものではない。
【０１２７】
例えば、通話装置２は、スマートフォン等の携帯電話機と、携帯電話機以外の外部の構成（以下、外部構成と記載）とを含んで構成されるものであってもよい。外部構成は、例えば、ネットワーク上のサーバ又はクラウド等により提供されるものであってもよい。
【０１２８】
例えば、通話装置２における音声保存部１０４が、上述した外部構成に含まれていてもよい。この場合、読み出し部２０２は、ユーザからの指示に従って音声信号を再生する際に、音声保存部１０４より再生を指示された音声信号を受信してもよく、当該音声信号が音声再生部２０４において再生される。
【０１２９】
例えば、通話装置２におけるテキスト保存部１０７が、上述した外部構成に含まれていてもよい。この場合、読み出し部２０２はユーザからの指示に従ってテキストを表示する際に、上記通話装置２の外部のテキスト保存部１０７より表示を指示されたテキストを受信してもよく、当該テキストがテキスト表示部２０３において表示される。
【０１３０】
次に、音声録音部１０３、音声保存部１０４、及び録音音声送信部１０５が、上述した外部構成に含まれる場合について、各構成の機能をより詳細に説明する。以下では、音声録音部１０３、音声保存部１０４、及び録音音声送信部１０５が通話装置２の携帯電話機に含まれる場合と異なる点を主に説明する。なお、通話装置１と同一の符号を用いている要素については、音声録音部１０３、音声保存部１０４、および録音音声送信部１０５が通話装置１の外部構成に含まれる場合と同様である。
【０１３１】
読み出し部２０２は、第２指示入力部２０１が受けるユーザからのテキスト表示の指示及び/又は音声再生の指示に従って、表示を指示されたテキストＴ２及び/又は再生を指示された音声信号Ｖ２を、テキスト保存部１０７及び/又は音声保存部１０４より読み出す部分である。なお、音声信号Ｖ２の再生を指示された場合は、通話装置２の外部に含まれる音声保存部１０４に当該音声信号Ｖ２の送信を指示し、音声保存部１０４より音声信号Ｖ２を受信して音声再生部２０４に出力する。
【０１３２】
次に、音声録音部１０３、音声保存部１０４、及び録音音声送信部１０５が、上述した外部構成に含まれる場合について、図１０を参照して、通話装置２において実行される処理を説明する。以下では、音声録音部１０３、音声保存部１０４、及び録音音声送信部１０５が通話装置２の携帯電話機に含まれる場合と異なる点を主に説明する。
【０１３３】
第２指示入力部２０１によって、ユーザより保存された録音信号を再生する指示が入力されていると判断される場合には、読み出し部２０２は、ユーザより再生するように指示された音声信号Ｖ２を通話装置２の外部に含まれる音声保存部１０４に送信するように指示し、音声保存部１０４より音声信号Ｖ２を受信することにより、音声信号Ｖ２を読み出す（ステップＳ２０６）。
【０１３４】
ここでは、音声録音部１０３、音声保存部１０４、および録音音声送信部１０５が外部構成に含まれ、他の要素は通話装置２に含まれるとして説明したが、テキスト受信部１０６、テキスト保存部１０７、通話履歴保存部１０８、通話履歴関連付け部１０９、電話帳保存部１１０、電話帳関連付け部１１１のそれぞれが上述した外部構成に含まれてもよいことは上述したとおりである。
【符号の説明】
【０１３５】
１，２…通話装置、１０１…音声通話部（通話手段）、１０３…音声録音部（録音手段）、１０４…音声保存部（音声保存手段）、１０７…テキスト保存部（テキスト保存手段）、１０８…通話履歴保存部（履歴保存手段）、１０９…通話履歴関連付け部（関連付け手段）、１１１…電話帳関連付け部（関連付け手段）、１１２，２０３…テキスト表示部、１１３，２０４…音声再生部。
【図１】
2017216672.tif 000003
【図２】
2017216672.tif 000004
【図３】
2017216672.tif 000005
【図４】
2017216672.tif 000006
【図５】
2017216672.tif 000007
【図６】
2017216672.tif 000008
【図７】
2017216672.tif 000009
【図８】
2017216672.tif 000010
【図９】
2017216672.tif 000011
【図１０】
2017216672.tif 000012
【図１１】
2017216672.tif 000013
【図１２】
2017216672.tif 000014